(57)【要約】【目的】日本拳法、逮捕術、空手等の徒手格闘技用の武道用防具に関するもので、従来の武道用防具と比べて安全、保護効果が持続、脱着が容易なものを提供することを課題とする。【構成】日本拳法、逮捕術、空手などの徒手格闘技用の練習及び試合に使用し打撃の衝撃を吸収するためのクッション部材を有する武道用防具において、頭部への攻撃に対して保護するための頭部保護用の面防具であって、格子状保護構造部材と、当該保護構造部材と顔面との間にあって当該保護構造部材を支持する格子支持部材と、当該格子支持部材と顔面との間に設置されるクッション部材とから構成されることを特徴とする武道用面防具。【選択図】        図１
2008264228.tif 000002
【特許請求の範囲】
【請求項１】
日本拳法、逮捕術、空手などの徒手格闘技用の練習及び試合に使用し打撃の衝撃を吸収するためのクッション部材を有する武道用防具において、頭部への攻撃に対して保護するための頭部保護用の面防具であって、格子状保護構造部材と、当該保護構造部材と顔面との間にあって当該保護構造部材を支持する格子支持部材と、当該格子支持部材と顔面との間に設置されるクッション部材とから構成されることを特徴とする武道用面防具。
【請求項２】
前記格子支持部材が硬質クッション材であり、かつ前記クッション部材が軟質クッション材で構成されることを特徴とする、請求項１に記載の武道用面防具。
【請求項３】
前記クッション部材が、顔面における両頬骨の下部と顎先端部との間の連続面に接触して支持する様に設置されることを特徴とする、請求項１又は２に記載の武道用面防具。
【請求項４】
前記のクッション部材を構成する硬質クッション材が、独立気泡或いは半連続気泡を有する有機高分子材料で構成された材料であることを特徴とする請求項１乃至３に記載の武道用面防具。
【請求項５】
前記のクッション部材を構成する軟質クッション材が、綿繊維、麻繊維、椰子殻チップ、ナイロン繊維、テトロン繊維、ポリエステル繊維、テフロン（登録商標）繊維、ポリウレタンスポンジ、連続気泡あるいは半連続気泡を有する有機高分子材料の１以上で構成された材料であることを特徴とする請求項１乃至４に記載の武道用面防具。
【発明の詳細な説明】
【技術分野】
【０００１】
本発明は日本拳法、逮捕術、空手等の徒手格闘技用の練習及び試合に使用する武道用防具であって、詳しくは頭部への攻撃に対して頭部を保護するための面防具に関するものである。
【背景技術】
【０００２】
従来から使用されている日本拳法や逮捕術などの武道で使用されている面防具は、特に安全が必要な頭部を保護するものであり、金属棒で強固に構成された保護構造部材とその内側にクッション部材を固定したものである（非特許文献１〜４）、図３。しかしながら、このクッション部材は木綿布袋に木綿綿を封入しただけの均一構造のものが殆どであり、衝撃吸収効果は極めて低い。特に最近の製品としては、早川繊維工業製（九櫻）Ｒ２０８型日本拳法面、あるいは早川繊維工業（九櫻）Ｒ３００ＭＳＷ型日本拳法面などがある。
【０００３】
これらの面防具は代表的な寸法で作成した既製品のため、使用する個人が頭部や顔面の形状に合わせてタオルなどで面あてを作成し、額部分と顎部分を主たる支持部位として固定し使用していた。この様な使用状況の場合、鋼線の格子状構造である保護構造部材に衝撃が加えられたとき、前記クッション部材が均一構造であるために当該加えられた衝撃が緩和することなく直接クッション部材を介して頭部に伝わることになる。その結果、顎を通して頭部にかかる負担が大きく、脳震盪、顎の付け根の間接脱臼、口内の裂傷、歯の損傷、顎の骨折等の傷害が発生する場合があった。ここで、発生する事故等は、個人の使用環境の不備を従来の面防具が吸収できないために起こるものであって、面防具自体の構造の不備で発生する事故でないことを追記しておく。
【０００４】
【非特許文献１】「日本拳法」澤山宗海著  毎日新聞社刊
【非特許文献２】「拳法教程」森良之祐著  原書房刊
【非特許文献３】「日本拳法教範I」石黒邦男著  圭文社刊
【非特許文献４】「絵説日本拳法」桟原富士男著  櫂歌書房刊
【発明の開示】
【発明が解決しようとする課題】
【０００５】
このような状況を鑑み、本発明者は、日本拳法、逮捕術、空手等の徒手格闘技用の武道用防具に関するもので、詳しくは鉄鋼製の金属棒やプラスチック板材料などの硬質材料で構成された頭部保護用面防具において、従来の武道用防具と比べて安全、保護効果が持続、脱着が容易なものを提供することを課題とする。
【課題を解決するための手段】
【０００６】
本発明は、このような課題を解決するために日本拳法、逮捕術、空手などの徒手格闘技用の練習及び試合に使用し打撃の衝撃を吸収するためのクッション部材を有する武道用防具において、頭部への攻撃に対して保護するための頭部保護用の面防具において成されたものであって、請求項１に記載の発明は、格子状保護構造部材と、当該格子状保護構造部材と顔面との間にあって当該保護構造部材を支持する格子支持部材と、当該格子支持部材と顔面との間に設置されるクッション部材とから構成されることを特徴とする。
【０００７】
さらに、請求項２に記載の発明は、請求項１の武道用面防具において前記格子支持部材が硬質クッション材であり、かつ前記クッション部材が軟質クッション材で構成されることを特徴とする。
【０００８】
この様な構造にすることによって、鋼線の格子状構造である保護構造部材に衝撃が加えられたとき、鋼線に沿って線状の荷重がかかった場合であっても、その荷重をひとまず前記硬質クッション材で受けることによって線状の集中荷重を面状に分散し、さらに当該面状に分散された荷重を前記軟質クッション材の全体で吸収することによって、前記軟質クッション材に接している頭部に伝わる衝撃を最小限に減少する効果が生じる。
【０００９】
さらに、請求項３に記載の発明は、請求項１又は２に記載の武道用面防具において、前記クッション部材が、顔面における両頬骨の下部と顎先端部との間の連続面に接触して支持する様に設置されることを特徴とする。
【００１０】
従来技術としての武道用面防具においては、面防具を装着する時にタオル等の軟質材料を単に折り重ねて適当な厚みにして、前記クッション部材と顔面との間の空隙を無くする目的で装入していたが、顔の形状によりタオル等の軟質材料の厚さは変化するので、打撃等による衝撃時の緩和効果は充分でなく打撃された時に大きな衝撃を体感し、さらにその衝撃によって脱落するという不具合が生じていた。
【００１１】
しかし、本発明の武道用面防具には、硬質クッション材と軟質クッション材との少なくとも１以上のクッション材の多層構造部材であって、顔面に接触する側に軟質クッション材を配置すると共に当該多層構造部材を前記クッション部材とを固着させるように設置することによって、部材の脱落を防止することが可能となる。
【００１２】
更に、前記多層構造部材を袋状構造部材の内部に挿入して一体化することによって、部材の脱落を防止することが好ましい。なお、固着の方法はマジックテープ（登録商標）等の接合部材を取り付けるなど、適宜実施できる。
【００１３】
さらに、請求項４に記載の発明は、請求項１乃至３に記載の武道用面防具において、前記のクッション部材を構成する硬質クッション材が、独立気泡或いは半連続気泡を有する有機高分子材料で構成された材料であることを特徴とする。
【００１４】
さらに、請求項５に記載の発明は、請求項１乃至４に記載の武道用面防具において、前記のクッション部材を構成する軟質クッション材が、綿繊維、麻繊維、椰子殻チップ、ナイロン繊維、テトロン繊維、ポリエステル繊維、テフロン（登録商標）繊維、ポリウレタンスポンジ、連続気泡あるいは半連続気泡を有する有機高分子材料の１以上で構成された材料であることを特徴とする。
【００１５】
特に、前述した綿繊維としては、木綿のタオル、ハンカチ、手ぬぐい等の軟質材料を折り重ねて適当な厚みにしたものを利用することが好ましい。
【発明の効果】
【００１６】
以上のように、本発明は、日本拳法、逮捕術、空手等の徒手格闘技用の武道用防具において、鉄鋼製の金属棒やプラスチック板材料などの硬質材料で構成された頭部保護用面防具に関して、長時間、かつ安定な装着状態を実現し競技者への過度の負傷を防止することができるという優れた効果を有している。
【発明を実施するための最良の形態】
【００１７】
本発明の実施形態は日本拳法、逮捕術、空手等の徒手格闘技用の武道用防具に関するもので、詳しくは鉄鋼製の金属棒やプラスチック板材料などの硬質材料で構成された頭部保護用面防具に関するものとして実施されるものである。
【００１８】
特に、面防具の保護構造部材が金属鋼線で構成されている日本拳法および徒手格闘術の競技用の防具に関して実施される。
【実施例】
【００１９】
以下、具体的に図面に従って本発明からなる武道用面防具について説明する。
【００２０】
（実施例１）
本実施例は、日本拳法用の面防具である。図１に概要を示す。
【００２１】
保護構造部材１１としての鋼線製の面金に、硬質クッション材１２と軟質クッション材１３を貼り合わせたクッション材を封入した木綿布袋を取り付けた。
【００２２】
（実施例２）
本実施例は、日本拳法用の面防具用クッション材である。図２に概要を示す。
【００２３】
硬質クッション材２１と軟質クッション材２２とを貼り合わせた２層構造のクッション材を封入した木綿布袋を保護構造部材１１に取り付けた。
【００２４】
実際に当該面防具を装着して徳島大学拳法部員と同部ＯＢの十数人が日本拳法の防具練習を行った結果、従来の面防具と比べて保護用の装着部品が面防具から脱落することが無いという分析結果を得ることができた。日本拳法修練期間が２ヶ月以下の部員も防具練習に使用したが安全に練習出来るとの評価があった。
【００２５】
（実施例３）
硬質クッション部材２１としてイノアックコーポレーション製の１０ｍｍ厚の独立気泡型発泡ポリウレタンを使用して保護構造部材側に配置した。軟質クッション材２２として、にイノアックコーポレーション製の５ｍｍ厚の連続気泡型高密度ポリウレタンを配置した。当該２個の部材は接着剤で接着して一体物として木綿製袋に封入し下部面パットとして保護構造部材側内側に固定した。
【産業上の利用可能性】
【００２６】
本発明は、日本拳法、逮捕術、空手等の徒手格闘技用の武道用防具に関するもので、詳しくは鉄鋼製の金属棒やプラスチック板材料などの硬質材料で構成された頭部保護用面防具、並びにこれに関連するスポーツ競技における安全防具に対して広く利用できるものである。
【図面の簡単な説明】
【００２７】
【図１】一実施例としての面防具
【図２】一実施例としてのクッション部品
【図３】従来技術としての面防具
【図１】
2008264228.tif 000003
【図２】
2008264228.tif 000004
【図３】
2008264228.tif 000005